(57)【要約】      （修正有）【課題】単一の測定器で多種の異なる目的に対応できる回転速度計を提供する。【解決手段】一端に接触式回転速度計２０を内設し、他端に光電式回転速度計３０とストロボスコープ４０とを内設した本体１０を有し、接触式回転速度計は接触子２１が本体の一端から外部に露出し、本体の光電式回転速度計とストロボスコープとを設ける一端に開口部１１を形成し、かつ光エネルギーを開口部から照射して非接触式の回転速度計測を行う光電式回転速度計とストロボスコープとの照射端を開口部から外部に露出させ、本体に、表示装置１２と、電源ボタン１３と、及び機能の操作、機能の切換えなどを行うファンクションキー１４とを設ける。【選択図】図１
0003193024.tif 000002
【実用新案登録請求の範囲】
【請求項１】
一端に接触式回転速度計を内設し、他端に光電式回転速度計とストロボスコープとを内設した本体を有し、
該接触式回転速度計は接触子が該本体の一端から外部に露出し、
該本体の該光電式回転速度計と該ストロボスコープとを設ける一端に開口部を形成し、かつ光エネルギーを該開口部から照射して非接触式の回転速度計測を行う光電式回転速度計と該ストロボスコープとの照射端を該開口部から外部に露出させ、
該本体に、表示装置と、電源ボタンと、及び機能の操作、機能の切換えなどを行うファンクションキーとを設けることを特徴とする回転速度計。
【請求項２】
前記接触式回転速度計が接触子を具えてなり、該接触子の末端に円錐状を呈し、被測定物に接触して接触式の回転数計測を行うための接触面を形成することを特徴とする請求項１に記載の回転速度計。
【請求項３】
一端に開口部を形成した本体と、
電池などの直流電源であって、該本体内に電源を供給する電源供給手段と、
接触式の回転速度の計測を行うための接触子か、接触ローラ及び波形整形器とを具え、該本体の他端に内設する接触式回転速度計と、
被測定物に光エネルギーを所定の角度で照射する光電エミッターと、該被測定物から反射する光線を検知する光電センサと、波形整形器と、光電ドライバーとを具え、該本体の開口部に内設する光電センサと、
ストロボスコープ光源ドライバーと、被測定物に光線を照射するストロボ手段と、ストロボスコープ駆動開閉器とを具え、該本体の開口部に内設するストロボスコープと、
表示装置と、電源ボタンと、及び必機能の操作、機能の切換えなどを行うファンクションキーと、
該接触式回転速度計と、該該光電式回転速度計と、該ストロボスコープとに電気的に接続するマイクロプロセッサと、
該マイクロプロセッサに電気的に接続する駆動回路と、
該駆動回路に戦記的に接続して該接触式回転速度計か、該該光電式回転速度計か、もしくは該ストロボスコープの計測した数値を表示する表示装置と、
機能の操作、機能の切換えなどを行うファンクションキーと、
該ストロボスコープ駆動開閉器と、該ファンクションキーと、該マイクロプロセッサとに電気的に接続する周波数合成器と、を具えてなることを特徴とする回転速度計。
【考案の詳細な説明】
【技術分野】
【０００１】
この考案は、回転速度計に関し、特に市場においてハンディタコメーターとも称する手持ち式の回転速度計に関する。
【背景技術】
【０００２】
目下、測定器に応用される技術には、接触式と非接触式の二種類の形態に大別することができる。接触式の形態を応用したものには、例えば接触式タコメーターと称するものがある。非接触式の形態を応用したものには、例えば光電式タコメーター、もしくはストロボ式タコメーターなどが挙げられる。これら回転速度計は、それぞれ異なる原理で作動し、かつ使用する場所も異なる。但し、いずれも単一の機能しか具えていなく、使用上かなりの制限を受ける。一般には、異なる目的による回転数の計測には、異なる回転速度計を購買して行わなければならならず、極めて不経済である。したがって、使用上便利な回転速度計の開発が望まれている。
【考案の概要】
【考案が解決しようとする課題】
【０００３】
この考案は、単一の測定器で多種の異なる目的に対応できる回転速度計を提供することを課題とする。
【課題を解決するための手段】
【０００４】
そこで、本考案者は従来の技術に見られる欠点に鑑み鋭意研究を重ねた結果、一端に接触式回転速度計を内設し、他端に光電式回転速度計とストロボスコープとを内設した本体を有し、該接触式回転速度計は接触子が該本体の一端から外部に露出し、該本体の該光電式回転速度計と該ストロボスコープとを設ける一端に開口部を形成し、かつ光エネルギーを該開口部から照射して非接触式の回転速度計測を行う光電式回転速度計と該ストロボスコープとの照射端を該開口部から外部に露出させ、該本体に、表示装置と、電源ボタンと、及び機能の操作、機能の切換えなどを行うファンクションキーとを設ける回転速度計によって課題を解決できる点に着眼し、係る知見に基づいて本考案を完成させた。
【０００５】
以下この考案について説明する。請求項１に記載する回転速度計は、一端に接触式回転速度計を内設し、他端に光電式回転速度計とストロボスコープとを内設した本体を有し、該接触式回転速度計は接触子が該本体の一端から外部に露出し、該本体の該光電式回転速度計と該ストロボスコープとを設ける一端に開口部を形成し、かつ光エネルギーを該開口部から照射して非接触式の回転速度計測を行う光電式回転速度計と該ストロボスコープとの照射端を該開口部から外部に露出させ、該本体に、表示装置と、電源ボタンと、及び機能の操作、機能の切換えなどを行うファンクションキーとを設ける。
【０００６】
請求項２に記載する回転速度計は、請求項１における接触式回転速度計が接触子を具えてなり、該接触子の末端に円錐状を呈し、被測定物に接触して接触式の回転数計測を行うための接触面を形成する。
【０００７】
請求項３に記載する回転速度計は、一端に開口部を形成した本体と、電池などの直流電源であって、該本体内に電源を供給する電源供給手段と、接触式の回転速度の計測を行うための接触子か、接触ローラ及び波形整形器とを具え、該本体の他端に内設する接触式回転速度計と、被測定物に光エネルギーを所定の角度で照射する光電エミッターと、該被測定物から反射する光線を検知する光電センサと、波形整形器と、光電ドライバーとを具え、該本体の開口部に内設する光電センサと、ストロボスコープ光源ドライバーと、被測定物に光線を照射するストロボ手段と、ストロボスコープ駆動開閉器とを具え、該本体の開口部に内設するストロボスコープと、表示装置と、電源ボタンと、及び必機能の操作、機能の切換えなどを行うファンクションキーと、該接触式回転速度計と、該該光電式回転速度計と、該ストロボスコープとに電気的に接続するマイクロプロセッサと、該マイクロプロセッサに電気的に接続する駆動回路と、該駆動回路に戦記的に接続して該接触式回転速度計か、該該光電式回転速度計か、もしくは該ストロボスコープの計測した数値を表示する表示装置と、機能の操作、機能の切換えなどを行うファンクションキーと、該ストロボスコープ駆動開閉器と、該ファンクションキーと、該マイクロプロセッサとに電気的に接続する周波数合成器と、を具えてなる。
【図面の簡単な説明】
【０００８】
【図１】この考案による回転速度計の外観を示した説明図
【図２】この考案による回転速度計の側面図である。
【図３】この考案による回転速度計の平面図である
【図４】この考案による回転速度計の電気回路の機能を示したブロック図である。
【考案を実施するための形態】
【０００９】
この考案はこの考案は、単一の測定器で多種の異なる目的に対応できる回転速度計を提供するものであって、一端に接触式回転速度計を内設し、他端に光電式回転速度計とストロボスコープとを内設した本体を有し、該接触式回転速度計は接触子が該本体の一端から外部に露出し、該本体の該光電式回転速度計と該ストロボスコープとを設ける一端に開口部を形成し、かつ光エネルギーを該開口部から照射して非接触式の回転速度計測を行う光電式回転速度計と該ストロボスコープとの照射端を該開口部から外部に露出させ、該本体に、表示装置と、電源ボタンと、及び機能の操作、機能の切換えなどを行うファンクションキーとを設ける。係る回転速度計の構造と特徴とを説明するために、具体手内実施例を挙げ、図面を参照にして以下に詳述する。
【実施例】
【００１０】
図１から図３に、この考案による回転速度計を開示する。図面の開示によれば、この考案による回転速度計は、本体１０を具えてなり、本体１の一端に接触式回転速度計２０を内設する。
【００１１】
接触式回転速度計２０は、接触子２１が本体１の一端から外部に露出する。接触子２１の末端は円錐状を呈する接触面２２が形成され、接触面２２が被測定物に接触して接触式の回転数計測を行う。
【００１２】
本体１０の他端には開口部１１を形成する。開口部１１内には光電式回転速度計３０とストロボスコープ４０とを設ける。光電式回転速度計３０とストロボスコープ４０とは、それぞれ照射端が開口部１１から外部に露出し、かつ光電式回転速度計３０とストロボスコープ４０とが出力する光エネルギーは本体１の開口部１１から照射され、非接触式の回転速度計測が行われる。
【００１３】
本体１０には、さらに表示装置１２と、電源ボタン１３と、及びファンクションキー１４を設け、必要とする機能の操作、機能の切換えなどを行う。
【００１４】
以上の構成による回転速度計は、複数の機能を有し、異なる被測定物に対応して随時回転数を計測することができ、使用上の利便性と実用性を達成することができる。
【００１５】
図４は、この考案による回転速度計の回路の機能を示したブロック図である。図面に開示するように、この考案による回転速度計は電源供給手段５０から本体１０に内設したそれぞれの手段に電力を供給する。電源供給手段５０は直流電源であって、例えば電池などである。
【００１６】
接触式回転速度計２０は、被測定物に接触する接触子２１と波形整形器２３とを含んでなり、本体１に内設したマイクロプロセッサ１６に電気的に接続し、駆動回路１５を介して計測した数値を表示装置１２に表示する。接触子２１は接触ローラであってもよい。
【００１７】
光電式回転速度計３０は、光電ドライバー３２を含んでなり、光電エミッター３１から所定の角度で光線を照射し、光電センサ３３によって被測定物に貼着した反射シールに反射する光線を検知して波形整形器３４から電気的に接続するマイクロプロセッサ１６と、及び駆動回路１５とを介して計測した数値を表示装置１２に表示する。
【００１８】
ストロボスコープ４０は、ストロボ手段４１と、ストロボスコープ光源ドライバー４２と、ストロボスコープ駆動開閉器４３を含んでなり、被測定物にマーキングして光線を照射し、回転速度の計測を行う。ストロボスコープ駆動開閉器４３は周波数合成器１７に電気的に接続し、周波数合成器１７はファンクションキー１７とマイクロプロセッサ１６とに電気的に接続し、駆動回路１５とを介して計測した数値を表示装置１２に表示する。
【符号の説明】
【００１９】
１０   本体
１１   開口部
１２   表示装置                    
１３   電源ボタン
１４   ファンクションキー
１５   駆動回路
１６   マイクロプロセッサ
１７   周波数合成器
２０   接触式回転速度計
２１   接触子
２２   接触面
２３   波形整形器
３０   光電式回転速度計
３１   光電エミッター
３２   光電ドライバー
３３   光電センサ
３４   波形整形器
４０   ストロボスコープ
４１   ストロボ手段
４２   ストロボスコープ光電ドライバー
４３   ストロボスコープ駆動開閉器
５０   電源供給手段
【図１】
0003193024.tif 000003
【図２】
0003193024.tif 000004
【図３】
0003193024.tif 000005
【図４】
0003193024.tif 000006